(57)【要約】【課題】地下構造体の内部に埋設される外周側可撓継手の可撓性を確保して、可撓性および水密性を良好にして地下構造体を連結できる二重可撓継手の取付構造を提供する。【解決手段】連結される地下構造体の対向端部１２の周方向に沿って内周面１２ａに配設される伸縮ゴム２を有する内周側可撓継手１ａと、内周側可撓継手１ａの外周側に配設される伸縮ゴム２を有する外周側可撓継手１ｂとによって、二重に対向端部１２、１２どうしを連結し、外周側可撓継手１ｂは、その伸縮ゴム２の内周側に伸縮ゴム２を変形可能に覆う保護充填部６を設け、外周側に中空部７を設け、さらに保護充填部６を覆う可撓被覆材９とを設けてコンクリートと隔離されて地下構造体内部に埋設される。【選択図】    図１
2006249721.tif 000002
【特許請求の範囲】
【請求項１】
連結される地下構造体の対向端部の周方向に沿って内周面に配設される伸縮ゴムを有する内周側可撓継手と、該対向端部の周方向に沿って前記内周側可撓継手の外周側に配設される伸縮ゴムを有する外周側可撓継手とを備え、前記それぞれの可撓継手の伸縮ゴムによって前記対向端部どうしを二重に連結する二重可撓継手の取付構造であって、前記外周側可撓継手は、その伸縮ゴムの内周側に該伸縮ゴムを変形可能に覆う保護充填部を設けるとともに、該伸縮ゴムの外周側に中空部を設けて前記地下構造体内部に埋設されることを特徴とする二重可撓継手の取付構造。        
【請求項２】
前記保護充填部の内周側を可撓被覆材で覆った請求項１に記載の二重可撓継手の取付構造。
【発明の詳細な説明】
【技術分野】
【０００１】
本発明は、二重可撓継手の取付構造に関し、さらに詳しくは、地下構造体の対向端部どうしを二重に連結する内周側および外周側可撓継手のうち、地下構造体の内部に埋設される外周側可撓継手の可撓性を確保して、可撓性および水密性を良好にして地下構造体を連結できる二重可撓継手の取付構造に関するものである。
【背景技術】
【０００２】
一般的に通信ケーブル、ガス管、水道管等を敷設する共同溝、地下道等の地下構造体は、連結される対向端部どうしが対向端部の周方向に沿って内周面に配設される可撓継手で連結され、地下構造体に作用する温度変化による伸縮、地盤沈下、地震等によって生じる変位を吸収可能とするとともに、水密性をもって連結する構造となっている。
【０００３】
近年、この連結構造にさらなる水密性が要求されるようになり、内周側の可撓継手の外周側にさらに可撓継手を設けて、それぞれの可撓継手で対向端部どうしを連結する二重可撓継手構造が用いられることがある。
【０００４】
例えば、地下構造体の対向端部に板材で区画した中空空間を形成し、この中空空間に内周側および外周側可撓継手を配置して二重に対向端部どうしを連結する構造が提案されている（特許文献１参照）。この提案では、内周側可撓継手の内周側に中空空間を形成するコンクリート侵入防止板が設置されて、内周側に打設されるコンクリートが内周側可撓継手に接触しない構造にして可撓継手の可撓性を確保している。
【０００５】
しかしながら、内周側可撓継手とコンクリート侵入防止板との間は中空空間となっているので、コンクリート侵入防止板とその取付手段に高い水密性を持たせなければ、コンクリートの侵入を防止することができず、高コストおよび高い加工精度が必要となるという問題があった。また、何らかの原因でコンクリートの塊等の異物がこの空間に侵入した場合は、異物が伸縮ゴムを損傷させて、可撓継手の耐久性を低下させるという問題があった。
【特許文献１】特開昭５７−２９８８０号公報
【発明の開示】
【発明が解決しようとする課題】
【０００６】
本発明の目的は、地下構造体の内部に埋設される外周側可撓継手の可撓性を確保して、可撓性および水密性を良好にして地下構造体を連結できる二重可撓継手の取付構造を提供することにある。
【課題を解決するための手段】
【０００７】
上記目的を達成するため本発明の二重可撓継手の取付構造は、連結される地下構造体の対向端部の周方向に沿って内周面に配設される伸縮ゴムを有する内周側可撓継手と、該対向端部の周方向に沿って前記内周側可撓継手の外周側に配設される伸縮ゴムを有する外周側可撓継手とを備え、前記それぞれの可撓継手の伸縮ゴムによって前記対向端部どうしを二重に連結する二重可撓継手の取付構造であって、前記外周側可撓継手は、その伸縮ゴムの内周側に該伸縮ゴムを変形可能に覆う保護充填部を設けるとともに、該伸縮ゴムの外周側に中空部を設けて前記地下構造体内部に埋設されることを特徴とするものである。
【発明の効果】
【０００８】
本発明の二重可撓継手の取付構造によれば、連結される地下構造体の対向端部の周方向に沿って内周面に配設される伸縮ゴムを有する内周側可撓継手と、対向端部の周方向に沿って内周側可撓継手の外周側に配設される伸縮ゴムを有する外周側可撓継手とを備え、それぞれの可撓継手の伸縮ゴムによって対向端部どうしを二重に、即ち、二重可撓継手で連結する構造なので、高い水密性を確保できる。
【０００９】
また、外周側可撓継手は、その伸縮ゴムの内周側に伸縮ゴムを変形可能に覆う保護充填部を設けるとともに、この伸縮ゴムの外周側に中空部を設けて地下構造体内部に埋設されるので、埋設する際に内周側から地下構造体を構成するコンクリートが打設されても、保護充填部が伸縮ゴムにコンクリートが接触することを防止して、コンクリートによって変形が規制されないので伸縮ゴムの可撓性を維持することが可能となる。
【発明を実施するための最良の形態】
【００１０】
以下、本発明の二重可撓継手の取付構造を図に示した実施形態に基づいて説明する。図１は実施形態の二重可撓継手の取付構造を一部拡大した縦断面図であり、トンネル等の地下構造体の軸方向の断面における構造を示し、図２はこの取付構造を用いて連結される地下構造体の対向端部１２を示す正面図である。
【００１１】
図２に示すように、特に水密性が要求される地下構造体の対向端部１２には、外周側に外周側可撓継手１ｂが、その内周側となる通路部１３の外側に内周側可撓継手１ａが設置されて二重の可撓継手によって、対向端部１２、１２どうしが連結される。図１に示す実施形態では、上側が地下構造体の対向端部１２の周方向に沿って内周面１２ａに設置される内周側可撓継手１ａ、下側が内周側可撓継手１ａの外周側に設置される外周側可撓継手１ｂとなっている。両可撓継手１ａ、１ｂの間の対向端部１２、１２どうしのすき間には、目地材１１が介挿されている。
【００１２】
内周側可撓継手１ａは、従来の一般的な可撓継手と同じであり、それぞれ対向端部１２の周方向に沿って内周面１２ａに金属製のＬ字状の取付板８が固定されている。伸縮ゴム２の断面形状は両端部に平面を有する円弧状となっており、内部に補強層を有している。伸縮ゴム２の両端部は押え板５を介してアンカー部３と固定ボルト４との締結によって取付板８に取付られて、両対向端部１２を跨ぐように伸縮ゴム２が配設されている。
【００１３】
外周側可撓継手１ｂは、地下構造体を形成しているコンクリートに囲まれて内部に埋設されている。外周側可撓継手１ｂの設置場所は、それぞれ対向端部１２、１２の周方向に沿って固定されたフランジを有する金属製のＬ字状の取付板８と、この両取付板８、８の上端部間に架設された可撓被覆材９とによって閉空間が形成されて、コンクリートと隔離されている。
【００１４】
可撓被覆材９は、例えば、繊維層、ゴム層またはこれらの複合層であり、可撓性および適度な強度を有するものを採用する。その両端部は、取付板８のそれぞれの上端部と接合部１０で図示しない接合手段で接合される。
【００１５】
この隔離された閉空間では、対向端部１２の外周側の面１２ｂに固定された取付板８に断面円弧状の伸縮ゴム２の両端部が押え板５を介してアンカー部３と固定ボルト４との締結によって取付られて、両対向端部１２、１２を跨ぐように伸縮ゴム２が配設されている。伸縮ゴム２の内周側は、伸縮ゴム２の変形を確保する保護充填部６が設けられ、伸縮ゴム８の外周側は中空部７となっている。
【００１６】
保護充填部６は、例えば、ウレタン、ポリエチレン、スチロール等の比重の小さいフォーム材が充填されて形成されている。
【００１７】
この構造を製造するには、まず、地下構造体の外周側に外周側可撓継手１ｂを取付けて、伸縮ゴム２の内周側に保護充填部６となる充填材を充填または現地で発泡注入する。その後、可撓被覆材９を両取付板８、８の上端部間に架設して伸縮ゴム２を両取付板８、８および可撓被覆材９で囲まれた閉空間に密封する。この状態で、配筋および内周側可撓継手１ａの取付板８の配設等を行なって、型枠を設置して地下構造体の対向端部１２の内周面１２ａとなる位置までコンクリートを打設し、養生して完成する。
【００１８】
したがって、外周側可撓継手１ｂの上（内周側）からコンクリートを打設しても可撓被覆材９および保護充填部６によって隔てられて、伸縮ゴム２にコンクリートが接することはない。
【００１９】
この構造によって、外周側可撓継手１ｂの伸縮ゴム２はコンクリートが硬化した後でも、変形を規制されることなく本来の可撓性を確保して、内周側可撓継手１ａとともに地下構造体の対向端部１２、１２どうしを優れた可撓性および水密性を有して連結することができる。また、伸縮ゴム２がコンクリートに接触しないので、コンクリートによって損傷を受けることもなく、耐久性を維持できる。
【００２０】
この実施形態では、保護充填部６を可撓被覆材９で覆うことによって、保護充填部６をコンクリートから隔離してコンクリート側の外力の影響を低減しているので、より柔軟な充填材を採用することができ、これによって伸縮ゴム２の可撓性をさらに向上させている。
【００２１】
保護充填部６に、この外力に耐え得る強度を有するとともに、ある程度の柔軟性を有する充填材を採用した場合は、可撓被覆材９を省略することもできる。例えば、フォーム材に替えてゴム材等を使用することもできる。
【図面の簡単な説明】
【００２２】
【図１】本発明の二重可撓継手の取付構造を例示する一部拡大縦断面図である（地下構造体の軸方向の断面における取付構造を示す）。
【図２】本発明の二重可撓継手の取付構造を用いて連結される地下構造体の端部を例示する正面図である。
【符号の説明】
【００２３】
１ａ  内周側可撓継手      １ｂ  外周側可撓継手
２  伸縮ゴム
３  アンカー部
４  固定ボルト
５  押え板
６  保護充填部
７  中空部
８  取付板    
９  可撓被覆材
１０  接合部
１１  目地材
１２  （地下構造体の）対向端部    １２ａ  内周面    １２ｂ  外周側の面  
１３  通路部
【図１】
2006249721.tif 000003
【図２】
2006249721.tif 000004